(57)【要約】【課題】マンションなど集合住宅の二重床へ適用可能であり、重量衝撃音や軽量衝撃音に対して簡単な機構で対応でき製造コストを大幅に低減でき、床の不陸を補修することなくレベル調整が可能であり、根太の端部にも使用できる二重床支持装置を提供する。【解決手段】水平なコンクリートスラブ６の上に載置され、その上に床の下地となる床パネル５を支持する二重床支持装置。水平に延びる細長い水平弾性部材２１と、水平弾性部材の両端部をコンクリートスラブ上に支持する支持脚部２２と、床パネルからの下向き荷重を受け、これを前記水平弾性部材の中央部に伝達する鉛直荷重受け機構２４とを備える。鉛直荷重受け機構は、その鉛直軸を中心に水平回転可能であり、かつ床パネル支持部からコンクリートスラブ上面までの高さを可変調整可能に構成されている。【選択図】　　　図１
2004044093.tif 000002
【特許請求の範囲】
【請求項１】
水平なコンクリートスラブ（６）の上に載置され、その上に床の下地となる床パネル（５）を支持する二重床支持装置であって、
水平に延びる細長い水平弾性部材（２１）と、該水平弾性部材の両端部をコンクリートスラブ上に支持する支持脚部（２２）と、
床パネルからの下向き荷重を受け、これを前記水平弾性部材の中央部に伝達する鉛直荷重受け機構（２４）と、を備え、
該鉛直荷重受け機構は、その鉛直軸を中心に水平回転可能であり、かつ床パネル支持部からコンクリートスラブ上面までの高さを可変調整可能に構成されている、ことを特徴とする二重床支持装置。
【請求項２】
前記鉛直荷重受け機構（２４）は、下端部が水平弾性部材（２１）の中央部に軸心を中心に回転可能に取付けられ、鉛直上方に延び、上端部外周に雄ネジ部を有する荷重受け軸（２４ａ）と、該雄ネジ部と螺合する雌ネジ部を有する荷重受け金具（２４ｂ）とからなり、
前記荷重受け軸（２４ａ）の上端には、これを軸心を中心に回転させるためのトルク伝達部（２５）が設けられている、ことを特徴とする請求項１に記載の二重床支持装置。
【請求項３】
前記荷重受け金具（２４ｂ）は、床パネル（５）またはこれを支持する根太（１０）に固定される、ことを特徴とする請求項２に記載の二重床支持装置。
【請求項４】
前記水平弾性部材（２１）は、間隔を隔てた２本の棒状弾性体、該２本の棒状弾性体の端部が連結されたループ棒状弾性体、又は矩形断面の板状弾性体である、ことを特徴とする請求項１に記載の二重床支持装置。
【請求項５】
前記支持脚部（２２）は、水平弾性部材（２１）の両端部に着脱自在に装着されている、ことを特徴とする請求項１に記載の二重床支持装置。
【請求項６】
前記支持脚部（２２）は、水平弾性部材（２１）の両端部を弾性的に支持する凹凸ゴム部材（２２ａ）を有する、ことを特徴とする請求項１に記載の二重床支持装置。
【請求項７】
前記支持脚部（２２）は、水平弾性部材（２１）の撓みに応じて支点間距離が、順次短くなる階段状形態を有する、ことを特徴とする請求項１に記載の二重床支持装置。
【請求項８】
前記水平弾性部材（２１）の中央部近傍に、弾性体の初期撓みにより該中央部を弾性的に弱く支持する中央弾性脚部（２３ａ）を有する、ことを特徴とする請求項１に記載の二重床支持装置。
【請求項９】
前記水平弾性部材（２１）の中間部に、弾性体がおおきく撓むと支持点間距離が、当初より短くなるように中間補助脚部（２３ｂ）を有する、ことを特徴とする請求項１に記載の二重床支持装置。
【請求項１０】
前記水平弾性部材（２１）の跳ね上がりを防ぐ反発止め部材（２３ｃ）を備える、ことを特徴とする請求項１に記載の二重床支持装置。
【請求項１１】
前記水平弾性部材（２１）の中央部で床荷重をうける部位が、弾性体で構成されている、ことを特徴とする請求項１に記載の二重床支持装置。
【請求項１２】
共用廊下側に設けてあるメーターボックス（３１）と区画壁（３２）を介して隣接されて、かつ共用廊下側とは反対側に適宜必要な長さを有する配管ゾーン（３３）を根太（１０）と直交する方向に設けている、ことを特徴とする二重床支持装置を用いた遮音床構造。
【請求項１３】
前記配管ゾーン（３３）に沿って両側に根太（１０）を配置し、かつ両側の根太の撓みがほぼ一致するようにその下に複数の二重床支持装置を配管ゾーン（３３）に沿って配置する、ことを特徴とする請求項１２に記載の二重床支持装置を用いた遮音床構造。
【発明の詳細な説明】
【０００１】
【発明の属する技術分野】
本発明は、マンションなどの集合住宅における二重床支持装置とこれを用いた遮音床構造に関する。
【０００２】
【従来の技術】
マンションなどの集合住宅では、コンクリートスラブの上に支持脚により床の下地となる床パネル（パーティクルボードなど）を支え、その上にフローリングなど仕上げ材を敷設するいわゆる二重床が知られている。かかる二重床は、コンクリートスラブの上に畳やジュータンなどを直接敷く場合と比較すると、床面を同一高さにするバリアフリー化が容易であり、床下に配管・配線を通すことにより設備の更新がしやすい特徴がある。
【０００３】
かかる二重床の支持装置として、例えば図１５の支持脚が知られている。この支持脚は、ゴム基台１、棒状脚部２、受け板支持部３、受け板４などから構成され、コンクリートスラブ６の上面に垂直に設置し、その上に床パネル５（パーティクルボードなど）が釘又はボルト７で取り付けられる。
この図の例では、支持脚の受け板支持部３と棒状脚部２がネジで螺合されており、棒状脚部２がゴム基台１に対して回転自在に取り付けられているので、棒状脚部２を軸心を中心に回転させることで、受け板支持部３が上下し、床パネル５のレベル調整ができるようになっている。また、支持脚によっては床パネル５と受け板４の間にもゴムなど緩衝部材を設けるものもあるが、基本的にはゴム基台１によって床パネル５の振動を吸収するようになっている。
【０００４】
【発明が解決しようとする課題】
床の遮音性能は、重量床衝撃音レベル（ＬＨ−）、軽量床衝撃音レベル（ＬＬ−）の２つの指標で表される。例えば、集合住宅に対する建築学会の推奨値（「特級」）では、ＬＨ−４５で「人の走り回り、飛び跳ねなど」が階下では「聞こえるが、意識することはあまりない」、ＬＬ−４０で「椅子の移動音、物の落下音など」が階下では「ほとんど聞こえない」程度となる。
【０００５】
しかし上述した従来の支持脚では、床の上に物を落とした音や椅子の移動音などいわゆる軽量衝撃音については裸スラブの遮音性能を改善するのに有効だが、床の上で飛び跳ねる音などの重量衝撃音については裸スラブの遮音性能を改善することが難しいという問題点があった。
この性能低下を防止するための様々な工夫がなされているが、二重床に用いられる支持脚においては、支持面積が限定される他、形状がほぼ円錐台形状に限定されるなど様々な制約があるために支持脚のみでの問題解決は思うように進んでいなかった。
【０００６】
一方、急激な荷重が加わっても弾性機能が低下しないものとして、バネ定数ｋが一定である線形特性を有するコイルバネなどが考えられるが、こうしたコイルバネなどは、荷重が加わった場合、その荷重による歪みに対して同じだけ反動し、床が上下に振動する現象が生じるため、それを抑制するいわゆるダンパー機構が必要になる。
【０００７】
この要望を満たすものとして、例えば、図１６に示すコイルバネ８とオイルダンパー９を用いた免震装置が出願されている（例えば特開平６−２９４４４３号）。しかしこの発明はコンピュータ室の免震床等に用いる免震装置であるため、コイルバネ、オイルダンパーの他にロッキング防止機構も備えられており、構造が複雑であり、マンションなどの集合住宅の二重床への適用が困難である。言い換えれば、重量衝撃音や軽量衝撃音といった生活騒音の遮音を目的とするマンションなどの集合住宅の二重床支持装置としては、構造が複雑でありすぎ、製造コストがかかり過ぎる問題点があった。
【０００８】
また、同様の目的で、「遮音装置」（登録特許第２９４１５８４号）が登録されている。この装置は、図１７に示すように、上材と下材との間に、衝撃振動音を吸収する緩衝機構１２を介装した遮音装置において、前記緩衝機構１２は、衝撃荷重の負荷により弾性変形して衝撃振動音を吸収するスプリング機構１１と、このスプリング機構と上材または下材との間に配置される緩衝材１３とを備え、緩衝材１３は、前記スプリング機構が弾性変形する衝撃荷重よりも軽量の衝撃荷重で弾性変形する脆弱部１４を有していることを特徴とするものである。
しかしこの遮音装置は、下材（例えば床スラブコンクリート面）の施工不良に対応するレベル調整機能がないため、床の不陸を補修する必要があった。
また、上材（例えば根太）と下材３（例えば床スラブコンクリート面）との間に例えば根太に沿って固定される構造であるため、根太の端部には使用できない（すなわち壁ぎわに設置できない）問題点があった。
【０００９】
本発明は上述した問題点を解決するために創案されたものである。すなわち、本発明の第１の目的は、マンションなど集合住宅の二重床へ適用可能であり、重量衝撃音や軽量衝撃音に対して簡単な機構で対応でき製造コストを大幅に低減でき、床の不陸を補修することなくレベル調整が可能であり、根太の端部にも使用できる二重床支持装置を提供することにある。
【００１０】
一方、上述した二重床支持装置を用いて遮音床を構成する場合、住戸内床全体にわたって、複数本の根太（或いは大引＋根太）を平行に配置するだけでは、床下空間が区画され、電気、ガス、水道等の設備配管ができなくなる問題点があった。そのため、設備配管の経路を変更する場合や、フリープランの場合には、その都度、根太（或いは大引＋根太）及び二重床支持装置の配置を設計しなおす必要があった。
またこの問題を回避するために設備配管の空間分を高くすると、床懐寸法が大きくなり、天井高が低くなる新たな問題が発生する。さらに、この問題を回避するために階高をあげるとマンション等のコスト高となったり床面積が低下するなどの新たな問題が発生する。
【００１１】
本発明はこの問題点も解決するために創案されたものである。すなわち、本発明の第２の目的は、設備配管の経路を変更する場合や、フリープランの場合には、根太（或いは大引＋根太）及び二重床支持装置の配置を設計しなおす必要がなく自由に設備配管ができる二重床支持装置を用いた遮音床構造を提供することにある。
【００１２】
【課題を解決するための手段】
本発明によれば、水平なコンクリートスラブ（６）の上に載置され、その上に床の下地となる床パネル（５）を支持する二重床支持装置であって、水平に延びる細長い水平弾性部材（２１）と、該水平弾性部材の両端部をコンクリートスラブ上に支持する支持脚部（２２）と、床パネルからの下向き荷重を受け、これを前記水平弾性部材の中央部に伝達する鉛直荷重受け機構（２４）と、を備え、該鉛直荷重受け機構は、その鉛直軸を中心に水平回転可能であり、かつ床パネル支持部からコンクリートスラブ上面までの高さを可変調整可能に構成されている、ことを特徴とする二重床支持装置が提供される。
【００１３】
上述した本発明の構成によれば、重量衝撃音や軽量衝撃音などの床衝撃が二重床支持装置の鉛直荷重受け機構（２４）に伝達され、さらに両端支持された水平弾性部材（２１）の中央部に床衝撃が伝達され、これが撓むことで衝撃エネルギーが吸収される。水平弾性部材（２１）の両端支持構造は、比較的簡単な機構で構成でき製造コストを大幅に低減できる。また、水平弾性部材（２１）の断面形状や長さで所望の線形特性を容易に構成できるので、重量衝撃音や軽量衝撃音などいずれの床衝撃にも対応できる。更に全体が水平に長く上下方向に短い構成となるので、二重床支持装置の全体高さを低くでき、床下高さを低くできる。
【００１４】
また、鉛直荷重受け機構（２４）が、床パネル支持部からコンクリートスラブ上面までの高さを可変調整可能に構成されているので、床の不陸を補修することなくレベル調整が可能である。
更に、鉛直荷重受け機構（２４）は、その鉛直軸を中心に水平回転可能に構成されているので、どのような方向にも設置が可能であり、根太の端部にも使用できる。
【００１５】
本発明の好ましい実施形態によれば、前記鉛直荷重受け機構（２４）は、下端部が水平弾性部材（２１）の中央部に軸心を中心に回転可能に取付けられ、鉛直上方に延び、上端部外周に雄ネジ部を有する荷重受け軸（２４ａ）と、該雄ネジ部と螺合する雌ネジ部を有する荷重受け金具（２４ｂ）とからなり、前記荷重受け軸（２４ａ）の上端には、これを軸心を中心に回転させるためのトルク伝達部（２５）が設けられている。
【００１６】
この構成により、荷重受け軸（２４ａ）をトルク伝達部（２５）により回転させることにより、荷重受け軸の雄ネジ部と荷重受け金具の雌ネジ部の螺合により、荷重受け軸を荷重受け金具に対して上下に移動し、床パネル支持部からコンクリートスラブ上面までの高さを可変調整することができる。
【００１７】
前記荷重受け金具（２４ｂ）は、床パネル（５）またはこれを支持する根太（１０）に固定される。
この構成により、床の不陸を補修することなく床パネル（５）または根太（１０）のレベル調整が容易にできる。
【００１８】
前記水平弾性部材（２１）は、間隔を隔てた２本の棒状弾性体、該２本の棒状弾性体の端部が連結されたループ棒状弾性体、又は矩形断面の板状弾性体である。
水平弾性部材（２１）を、間隔を隔てた２本の棒状弾性体とし、その中間位置で鉛直荷重受け機構（２４）と連結することにより、２本の棒状弾性体の間で床衝撃を受けることができ、水平弾性部材（２１）にネジリモーメントを作用させることなくこれを撓ませることができ、衝撃エネルギーをスムースに吸収することができる。
また、２本の棒状弾性体の端部が連結されたループ棒状弾性体とすることにより、部品数を低減し、組立てを容易にできる。
さらに、矩形断面の板状弾性体とすることにより、棒状弾性体より長さを短くでき、その幅方向の中間位置で床衝撃を受けてネジリモーメントを作用させることなく衝撃エネルギーをスムースに吸収することができ、かつ部品数を低減して組立てを容易にできる。
【００１９】
前記支持脚部（２２）は、水平弾性部材（２１）の両端部に着脱自在に装着されている。
この構成により、支持脚部（２２）を水平弾性部材（２１）に容易に取付け、取り外しができる。
【００２０】
前記支持脚部（２２）は、水平弾性部材（２１）の両端部を弾性的に支持する凹凸ゴム部材（２２ａ）を有する。
この構成により、凹凸ゴム部材（２２ａ）でコンクリートスラブ（６）への振動の伝達を低減し、遮音性能を高めることができる。
【００２１】
本発明の別の好ましい実施形態によれば、前記支持脚部（２２）は、水平弾性部材（２１）の撓みに応じて支点間距離が、順次短くなる階段状形態を有する。この構成により、衝撃が小さく撓みが小さいときには、支点間距離が長くバネ定数ｋを小さくでき、逆に衝撃が大きく撓みが大きいときには、支点間距離を順次短くしてバネ定数ｋを大きくできる。従って衝撃音の大きさに応じて撓み量を変化させることができる。
【００２２】
本発明の別の好ましい実施形態によれば、前記水平弾性部材（２１）の中央部近傍に、弾性体の初期撓みにより該中央部を弾性的に弱く支持する中央弾性脚部（２３ａ）を有する。
この構成により、撓みが小さいときのバネ定数ｋを若干大きくして、歩行時の体感を固めに設定できる。
【００２３】
また、前記水平弾性部材（２１）の中間部に、弾性体がおおきく撓むと支持点間距離が、当初より短くなるように中間補助脚部（２３ｂ）を有する。
この構成により、衝撃が大きく撓みが大きいときには、支点間距離を短くしてバネ定数ｋを大きくし、剛性を高めて撓み量を小さくできる。
【００２４】
さらに前記水平弾性部材（２１）の跳ね上がりを防ぐ反発止め部材（２３ｃ）を備える。
反発止め部材（２３ｃ）により、水平弾性部材（２１）が大きく撓んだ後、弾性で上方に跳ね上がり、床面を上方に跳ね上がる現象を防ぐことができ、歩行感を向上できる。
【００２５】
また、前記水平弾性部材（２１）の中央部で床荷重をうける部位が、弾性体で構成されている、のがよい。
この構成により、荷重支持部材が１つの部材で構成され、かつ衝撃を吸収しやすくなるメリットがある。
【００２６】
また、本発明によれば、共用廊下側に設けてあるメーターボックス（３１）と区画壁（３２）を介して隣接されて、かつ共用廊下側とは反対側に適宜必要な長さを有する配管ゾーン（３３）を根太（１０）と直交する方向に設けている、ことを特徴とする二重床支持装置を用いた遮音床構造が提供される。
【００２７】
この構成により、電気、ガス、水道等の設備配管をメーターボックス（３１）から配管ゾーン（３３）を介して必要箇所に自由に通すことができる。これにより、床懐寸法を最小に抑え、階高を上げずに、設備配管を行うことができる。
【００２８】
本発明の好ましい実施形態によれば、前記配管ゾーン（３３）に沿って（図１３又は図１４に図示するように）両側に根太（１０）を配置し、かつ両側の根太の撓みがほぼ一致するようにその下に複数の二重床支持装置を配管ゾーン（３３）に沿って配置する。
この構成により、配管ゾーン（３３）を違和感のない歩行感覚にすることができる。
【００２９】
【発明の実施の形態】
以下、本発明の好ましい実施形態を図面を参照して説明する。なお、各図において共通する部分には同一の符号を付し、重複した説明を省略する。
【００３０】
図１本発明の二重床支持装置の第１実施形態図である。本発明の二重床支持装置１０は、水平なコンクリートスラブ６の上に載置され、その上に床の下地となる床パネル５を支持する。床パネル５は、例えば床の下地となるパーティクルボードである。
【００３１】
この図において、本発明の二重床支持装置２０は、水平弾性部材２１、支持脚部２２及び鉛直荷重受け機構２４を備える。
【００３２】
水平弾性部材２１は、水平に延びる細長い弾性部材であり、この例では、紙面に直交する方向に一定の間隔を隔てた２本の棒状弾性体、例えば金属製の丸棒または円管である。棒状弾性体の断面形状及び長さは、中央に垂直荷重Ｐを受ける両端支持構造において、垂直荷重Ｐと撓みδとの関係（Ｐ＝ｋ・δ）におけるバネ定数ｋを所望の値になるように設定し、かつ最大応力が許容応力範囲内になるように設計されている。
また、水平弾性部材２１を、間隔を隔てた２本の棒状弾性体とし、その中間位置で鉛直荷重受け機構２４と連結することにより、２本の棒状弾性体の間で床衝撃を受けることができ、水平弾性部材２１にネジリモーメントを作用させることなくこれを撓ませることができ、衝撃エネルギーをスムースに吸収することができる。
【００３３】
支持脚部２２は、水平弾性部材２１の両端部をコンクリートスラブ６の上に支持する。支持脚部２２は、容易に取付け、取り外しができるように、水平弾性部材２１の両端部に着脱自在に装着されている。またこの例で、コンクリートスラブ６への振動の伝達を低減し、遮音性能を高めるように、支持脚部２２は、水平弾性部材２１の両端部を弾性的に支持する凹凸ゴム部材２２ａを有する。
【００３４】
鉛直荷重受け機構２４は、床パネル５からの下向き荷重を受け、これを水平弾性部材２１の中央部に伝達する。この鉛直荷重受け機構２４は、その鉛直軸を中心に水平回転可能であり、かつ床パネル支持部からコンクリートスラブ上面までの高さを可変調整可能に構成されている。
【００３５】
図１において、鉛直荷重受け機構２４は、荷重受け軸２４ａと荷重受け金具２４ｂとからなる。
荷重受け軸２４ａは、下端部が水平弾性部材２１の中央部に軸心を中心に回転可能に取付けられ、鉛直上方に延び、上端部外周に雄ネジ部を有する。
荷重受け金具２４ｂは、荷重受け軸２４ａの雄ネジ部と螺合する雌ネジ部を有する。またこの荷重受け軸２４ａの上端には、これを軸心を中心に回転させるためのトルク伝達部２５が設けられている。トルク伝達部２５は、ドライバー用の十孔又は−孔、或いは六角柱等でもよい。この荷重受け軸２４ａをトルク伝達部２５により回転させることにより、荷重受け軸２４ａの雄ネジ部と荷重受け金具２４ｂの雌ネジ部の螺合により、荷重受け軸２４ａを荷重受け金具２４ｂに対して上下に移動し、床パネル支持部からコンクリートスラブ上面までの高さを可変調整することができる。
【００３６】
またこの例では、荷重受け金具２４ｂは、床パネル５を支持する根太１０の下部に釘等で固定されたコの字型部材とこれの側面に溶接等で固着されたナットからなり、コンクリートスラブに不陸（起伏）がある場合でも、根太１０の上方からドライバー等で荷重受け軸２４ａを回転させて根太１０の上面のレベル調整を容易にできるようになっている。
【００３７】
図２は、本発明の二重床支持装置の第２実施形態図である。この例では、荷重受け金具２４ｂは、床パネル５を支持する根太１０の下部に釘等で固定されたコの字型部材とこれの下側の中央部上面に溶接等で固着されたナットからなる。また根太１０の中央部には鉛直な貫通孔が設けられ、この貫通孔の下端に荷重受け金具２４ｂのナットを挿入している。その他の構成は、図１と同様である。
この構成により、二重床支持装置２０を根太１０の中央部に設置し、根太にネジリモーメントを作用させることなく、根太を支持できる。またこの構成の場合、根太１０の上方から貫通孔を通してドライバー等で荷重受け軸２４ａを回転させて根太１０の上面のレベル調整ができる。
【００３８】
図１及び図２の例において、鉛直荷重受け機構２４は、支持脚部２２をコンクリートスラブ上面から浮かした状態で水平弾性部材２１を荷重受け軸２４ａの鉛直軸を中心に水平回転させることにより、図のように根太に直交するように水平弾性部材２１を設置することも、根太に平行に設置することも、その他どのような方向にも設置が可能である。従って、根太が壁等に隣接する根太の端部にも使用でき、根太を全長に亘り複数の二重床支持装置２０で支持し、根太で支持された床の衝撃吸収特性を全面にわたり最適化することができる。
【００３９】
図３は、本発明の二重床支持装置の第３実施形態図であり、図４は図３の二重床支持装置の特性図である。
図３において、本発明の二重床支持装置２０は、中央弾性脚部２３ａ、中間補助脚部２３ｂおよび反発止め部材２３ｃを備える。その他の構成は、図１と同様である。
【００４０】
中央弾性脚部２３ａは、水平弾性部材２１の中央部近傍に取付けられた薄板ゴム部材である。この薄板ゴム部材の下端にテーパ部を有し、かつこの下端がコンクリートスラブ６に近接するように設置されている。従って、水平弾性部材２１が僅かに撓むとその初期撓みにより水平弾性部材２１の中央部を弾性的に弱く支持し、図４に示すように、撓みが小さいときのバネ定数ｋを若干大きくして、歩行時の体感を固めに設定している。なお撓みが大きいときには、中央弾性脚部２３ａは大きく曲り、バネ定数ｋへの影響がほとんどないように薄く形成されている。
【００４１】
中間補助脚部２３ｂは、水平弾性部材２１の中間部に取付けられた厚板ゴム部材である。この厚板ゴム部材の下端は、中央弾性脚部２３ａよりもコンクリートスラブ６から離れており、弾性体がおおきく撓むとこの中間補助脚部２３ｂがコンクリートスラブ６に当接して支持点間距離が、当初より短くなり、図４に示すように、バネ定数ｋを大きくし、剛性を高めて撓み量を小さくするようになっている。
【００４２】
反発止め部材２３ｃは、この例では、薄い金属平板を７の字状に折り曲げたものであり、長い方の端部を支持脚部２２の下に把持し、短い方の端部を中間補助脚部２３ｂの上面に沿わせて、水平弾性部材２１の跳ね上がりを防ぐようになっている。この反発止め部材２３ｃにより、水平弾性部材２１が大きく撓んだ後、弾性で上方に跳ね上がり、床面を上方に跳ね上がる現象を防ぐことができ、歩行感を向上させることができる。
【００４３】
図５は、本発明の二重床支持装置の第４実施形態図である。この例において、支持脚部２２は、水平弾性部材２１の撓みに応じて支点間距離が、順次短くなる階段状形態を有している。その他の構成は図１と同様である。
この構成により、衝撃が小さく撓みが小さいときには、支点間距離が長くバネ定数ｋを小さくでき、逆に衝撃が大きく撓みが大きいときには、支点間距離を順次短くしてバネ定数ｋを大きくできる。従って衝撃音の大きさに応じて撓み量を変化させることができる。
【００４４】
図６は、本発明の二重床支持装置の第５実施形態図であり、（Ａ）は正面図、（Ｂ）は平面図である。この例では、水平弾性部材２１は、矩形断面の板状弾性体である。板状弾性体は、例えば金属板であり、板状弾性体の断面形状及び長さは、中央に垂直荷重Ｐを受ける両端支持構造において、垂直荷重Ｐと撓みδとの関係（Ｐ＝ｋ・δ）におけるバネ定数ｋを所望の値になるように設定し、かつ最大応力が許容応力範囲内になるように設計されている。
矩形断面の板状弾性体とすることにより、棒状弾性体より長さを短くでき、その幅方向の中間位置で床衝撃を受けてネジリモーメントを作用させることなく衝撃エネルギーをスムースに吸収することができ、かつ部品数を低減して組立てを容易にできる。
【００４５】
また、この例において、反発止め部材２３ｃは、細い金属棒をループ状に折り曲げたものであり、長い方の端部を支持脚部２２の下に把持し、短い方の端部を中間補助脚部２３ｂの上面に沿わせて、水平弾性部材２１の跳ね上がりを防ぐようになっている。その他の構成は、図３と同様である。
【００４６】
図７は、本発明の二重床支持装置の第６実施形態図であり、（Ａ）は正面図、（Ｂ）は平面図である。この例では、水平弾性部材２１は、間隔を隔てた２本の棒状弾性体の端部が連結されたループ棒状弾性体であり、部品数を低減し、組立てを容易にしている。
また、この例では、根太１０がなく、荷重受け金具２４ｂの上面を大型に形成し、その上に直接床パネル（５）を取付けるようになっている。その他の構成は、図３と同様である。
【００４７】
図８は、本発明の二重床支持装置の第７実施形態図であり、（Ａ）は正面図、（Ｂ）は平面図である。この例でも、根太１０がなく、荷重受け金具２４ｂの上面を大型に形成し、その上に直接床パネル（５）を取付けるようになっている。またこの例では反発止め部材２３ｃを省略している。その他の構成は図６と同様である。
【００４８】
図９は、本発明の二重床支持装置の第８実施形態図、図１０は第９実施形態図であり、それぞれ（Ａ）は正面図、（Ｂ）は平面図である。これらの例では、細長い水平弾性部材の中央部で床荷重をうける部位が、弾性体（ゴム）で構成されている。
この構成により、荷重支持部材が１つの部材で構成され、かつ衝撃を吸収しやすくなるメリットがある。
【００４９】
図１１は、アンボンドＰＲＣスラブ２００ｍｍ厚の裸スラブの上に本発明の二重床支持装置を用いた遮音床の遮音等級曲線である。この図は、図１の第１実施形態での重量衝撃音に対する特性を示している、この図において、横軸は、周波数、縦軸は床衝撃音レベルである。
この図から、本発明の二重床支持装置を用いた遮音床は、遮音等級ではＬＨ−４５をクリアしており、裸スラブに対する重量床衝撃音レベル低減量（ΔＬ＝裸スラブでのＬＨ−（二重床＋裸スラブ構造でのＬＨ））が７．０ｄＢもあり、大幅な遮音性能向上が図られている。
【００５０】
図１２は、アンボンドＰＲＣスラブ２００ｍｍ厚の裸スラブの上に本発明の二重床支持装置を用いた遮音床の別の遮音等級曲線である。この図は、図１の第１実施形態での軽量衝撃音に対する特性を示している、この図において、横軸は、周波数、縦軸は床衝撃音レベルである。
この図から、本発明の二重床支持装置を用いた遮音床は、軽量衝撃音に対してもＬＬ−４５をクリアしている。なお、この遮音性能は、「住宅性能表示における軽量床衝撃音性能区分」では、「床仕上げ構造区分２」に相当する。
【００５１】
上述した本発明の二重床支持装置によれば、重量衝撃音や軽量衝撃音などの床衝撃が二重床支持装置の鉛直荷重受け機構２４に伝達され、さらに両端支持された水平弾性部材２１の中央部に床衝撃が伝達され、これが撓むことで衝撃エネルギーが吸収される。水平弾性部材２１の両端支持構造は、比較的簡単な機構で構成でき製造コストを大幅に低減できる。また、水平弾性部材２１の断面形状や長さで所望の線形特性を容易に構成できるので、重量衝撃音や軽量衝撃音などいずれの床衝撃にも対応できる。更に全体が水平に長く上下方向に短い構成となるので、二重床支持装置の全体高さを低くでき、床下高さを低くできる。
【００５２】
また、鉛直荷重受け機構２４が、床パネル支持部からコンクリートスラブ上面までの高さを可変調整可能に構成されているので、床の不陸を補修することなくレベル調整が可能である。
更に、鉛直荷重受け機構２４は、その鉛直軸を中心に水平回転可能に構成されているので、どのような方向にも設置が可能であり、根太の端部にも使用できる。
【００５３】
図１３は、本発明の二重床支持装置を用いた遮音床構造の模式図である。また、図１４は、遮音床構造を示す比較図であり、（Ａ）は本発明、（Ｂ）は従来例である。
これらの図に示すように、本発明の遮音床構造では、共用廊下側に設けてあるメーターボックス３１と区画壁３２を介して隣接されて、かつ共用廊下側とは反対側に適宜必要な長さを有する配管ゾーン３３を根太１０と直交する方向に設けている。
【００５４】
この構成により、電気、ガス、水道等の設備配管をメーターボックス３１から配管ゾーン３３を介して必要箇所に自由に通すことができる。これにより、床懐寸法を最小に抑え、階高を上げずに、設備配管を行うことができる。
【００５５】
また、配管ゾーン３３に沿って両側に根太１０を配置し、かつ両側の根太の撓みがほぼ一致するようにその下に複数の二重床支持装置を配管ゾーン３３に沿って配置し、配管ゾーン３３を違和感のない歩行感覚にするようになっている。
【００５６】
なお、本発明は上述した実施形態に限定されず、本発明の要旨を逸脱しない限りで種々に変更できることは勿論である。
【００５７】
【発明の効果】
上述したように、本発明の二重床支持装置は、マンションなど集合住宅の二重床へ適用可能であり、重量衝撃音や軽量衝撃音に対して簡単な機構で対応でき製造コストを大幅に低減でき、床の不陸を補修することなくレベル調整が可能であり、根太の端部にも使用できる等の優れた効果を有する。
【００５８】
また、本発明の二重床支持装置を用いた遮音床構造は、設備配管の経路を変更する場合や、フリープランの場合には、根太（或いは大引＋根太）及び二重床支持装置の配置を設計しなおす必要がなく自由に設備配管ができる等の優れた効果を有する。
【図面の簡単な説明】
【図１】本発明の二重床支持装置の第１実施形態図である。
【図２】本発明の二重床支持装置の第２実施形態図である。
【図３】本発明の二重床支持装置の第３実施形態図である。
【図４】図３の二重床支持装置の特性図である。
【図５】本発明の二重床支持装置の第４実施形態図である。
【図６】本発明の二重床支持装置の第５実施形態図である。
【図７】本発明の二重床支持装置の第６実施形態図である。
【図８】本発明の二重床支持装置の第７実施形態図である。
【図９】本発明の二重床支持装置の第８実施形態図である。
【図１０】本発明の二重床支持装置の第９実施形態図である。
【図１１】本発明の二重床支持装置を用いた遮音床の遮音等級曲線である。
【図１２】本発明の二重床支持装置を用いた遮音床の別の遮音等級曲線である。
【図１３】本発明の二重床支持装置を用いた遮音床構造の模式図である。
【図１４】遮音床構造を示す比較図である。
【図１５】従来の二重床支持装置の構成図である。
【図１６】従来の免震装置の構成図である。
【図１７】従来の遮音装置の構成図である。
【符号の説明】
１　ゴム基台、２　棒状脚部、３　受け板支持部、
４　受け板、５　床パネル、６　コンクリートスラブ、
７　釘又はボルト、８　コイルバネ、９　オイルダンパー、１０　根太、
１１　スプリング機構、１２　緩衝機構、１３　緩衝材、１４　脆弱部、
２０　二重床支持装置、２１　水平弾性部材、２２　支持脚部、
２２ａ　凹凸ゴム部材、２３ａ　中央弾性脚部、２３ｂ　中間補助脚部、
２３ｃ　反発止め部材、２４　鉛直荷重受け機構、２４ａ　荷重受け軸、
２４ｂ　荷重受け金具、２５　トルク伝達部、３１　メーターボックス、
３２　区画壁、３３　配管ゾーン
【図１】
2004044093.tif 000003
【図２】
2004044093.tif 000004
【図３】
2004044093.tif 000005
【図４】
2004044093.tif 000006
【図５】
2004044093.tif 000007
【図６】
2004044093.tif 000008
【図７】
2004044093.tif 000009
【図８】
2004044093.tif 000010
【図９】
2004044093.tif 000011
【図１０】
2004044093.tif 000012
【図１１】
2004044093.tif 000013
【図１２】
2004044093.tif 000014
【図１３】
2004044093.tif 000015
【図１４】
2004044093.tif 000016
【図１５】
2004044093.tif 000017
【図１６】
2004044093.tif 000018
【図１７】
2004044093.tif 000019